(57)【要約】【課題】  歩道や分離帯と車道との境界を形成する歩車道境界ブロックに関し、路面下に埋設されるベース部を備えた断面Ｌ形ないし逆Ｔ形の歩車道境界ブロックにおいて、畝の形状や模様の変更に速やかにかつ経済的に対応でき、施工後の美観に優れ、透水舗装の路面の水を速やかに排水することが可能で、施工時のブロック相互の位置決め作業性にも優れた上記ブロックを得る。【解決手段】  ベース部に排水路を備えかつベース部上面が地表に露出しない構造のベース付歩車道境界ブロックにおいて、ベース部と畝部とをそれぞれベースブロックと畝ブロックに分離して個別に成型可能とし、各種形状の畝ブロックをベースブロック上に姿勢よく接合して一体化可能にすると共に、ベースブロックの若干の据付け誤差をベースブロックと畝ブロックとの接合部で修正できる構造とする。【選択図】      図１
2005264561.tif 000002
【特許請求の範囲】
【請求項１】
平坦な上面を有する矩形帯板状のベースブロック(1)と、このベースブロック上面の幅方向片側に底面を接合した畝ブロック(2)と、前記ベースブロックを長手方向に貫通する排水路(3)と、前記ベースブロックと畝ブロックの接合部分で前記片側のブロック側面に開口して前記排水路に連通する取水口(5)とを備えた、歩車道境界ブロック。
【請求項２】
上面の幅方向片側に一段高くした台座(9)を一体に設けた矩形帯板状のベースブロック(1)と、前記台座の上面に底面を接合した畝ブロック(2)と、前記ベースブロックを長手方向に貫通する排水路(3)と、前記台座の側壁部分でブロック側面に開口して前記排水路に連通する取水口(5)とを備えた、歩車道境界ブロック。
【請求項３】
前記排水路(3)が、前記ベースブロックと畝ブロックとの接合面(4)に、上面開口が畝ブロックによって閉鎖されたベースブロック側の凹溝として形成されている、請求項１記載の歩車道境界ブロック。
【請求項４】
前記排水路(3)が、前記ベースブロックと畝ブロックとの接合面(4)に、上面開口が畝ブロックによって閉鎖されたベースブロック側の凹溝として形成されている、請求項２記載の歩車道境界ブロック。
【請求項５】
不透水性基層(11)の表面に透水性表層(12)を設けた舗装路面の路側に沿って、前記取水口(5)を前記透水性表層内を流れた水と当該表層上の水との両方を受入れる位置に開口させて、請求項１、２、３又は４記載の歩車道境界ブロックが配置されている、透水舗装の排水構造。
【請求項６】
不透水性基層(11)の表面に透水性表層(12)を設けた舗装路面の路側に沿って、前記取水口(5)を前記透水性表層内を流れた水を受入れる位置にして、かつベースブロックと畝ブロックとの接合面(4)を路面下にして、請求項１又は３記載の歩車道境界ブロックが配置されている、透水舗装の排水構造。
【発明の詳細な説明】
【技術分野】
【０００１】
この発明は、舗装道路の歩道や分離帯に沿ってブロックの長手端を連接して据付けることにより、歩道や分離帯と車道との境界を形成する歩車道境界ブロックに関するものである。
【背景技術】
【０００２】
歩車道境界ブロックとして、従来、略矩形ないし台形断面の畝ブロック（縁石ブロック）、畝ブロックの下部片側又は両側に短い突出部が形成されるようにベース部を一体成形してブロックの座りを良くしたＬ形又は逆Ｔ形断面のベース付ブロック、及び、矩形厚板状のブロックの上面に幅方向に緩く傾斜した水勾配面を設けるとともに、勾配が低くなる方の側縁に上方に突出する畝を一体成形した低いＬ形断面のエプロン付ブロックが用いられている。
【０００３】
この種のブロックの畝の部分は、地上に突出するため人目に付きやすく、その形状や高さが道路の美観や通行の難易に少なからぬ影響を与える。そのため、ブロックの畝の高さや形状は多種多様で、美観を考慮して畝の形状や表面模様に変更が加えられることも多く、地域によって使用されるブロックの長さも異なる。そのため、ブロック成形用の型枠も多種多様となり、畝ブロックの形状が変わる毎に新たな型枠を準備しなければならないという問題がある。
【０００４】
この問題を解決するため、この出願の出願人は、特許文献１において、エプロン付ブロックのエプロン部に対応するベースブロックと畝部に対応する畝ブロックとを別々に成形し、ベースブロックの上面に設けた段部で畝ブロックを位置決めしてモルタルなどで畝ブロックをベースブロックに接合することにより、一体成形したと同等のエプロン付ブロックを得る手段を提案している。
【０００５】
この分割構造のブロックによれば、畝の形状が変更されたとき、畝ブロックを成形する型枠のみを新たに準備し、ベースブロックを成形する型枠は従来のものをそのまま用いることができる。畝のみを成形する型枠は、畝とエプロンとを一体に成型する型枠より構造が簡単で小型であるから、畝の形状が変わったときの型枠コストや在庫コストを低減できる。
【０００６】
一方、この出願の出願人は、歩車道境界ブロックに排水路を設けることによって、路面から歩車道の境界部に流れてくる雨水を集めて排水することを可能にした、排水路内蔵型の歩車道境界ブロックを提案している（特許文献２）。排水路を有するブロックを成型する型枠は、排水路を有しないブロックの型枠に比べて、当然構造が複雑になりコスト高になる。畝部とベース部とを備えた歩車道境界ブロックでは、排水路はベース部に設けられるので、ベース部の型枠を共用できる上記分割構造のブロックは、特に排水兼用の歩車道境界ブロックにおいて有益である。
【特許文献１】特開２００２‐２１２９０８号公報
【特許文献２】特開２０００‐３４５５０８号公報
【発明の開示】
【発明が解決しようとする課題】
【０００７】
畝の形状が変わる毎にベース部を含む新たな成形型枠を必要とするという問題は、エプロン付ブロックについては上記特許文献１の発明で解決されており、前述した断面Ｌ形や逆Ｔ型のベース付ブロックについても、同様な構造を採用することにより、上記問題を解決することができると考えられた。
【０００８】
そこで特許文献１で開示したエプロン付ブロックと同じ構造をベース付ブロックにも採用することを検討した結果、ベース付ブロックにおいては、より施工性に優れた構造とすることが可能であることが見いだされた。すなわち、エプロン付ブロックはそのエプロン部の上面が路面と一致するように配置され、従ってエプロン部の上面が露出するのに対し、ベース付ブロックは、一般に、ベース部が路面下に埋設されてベース部の上面が露出しない状態で配置される。この施工上の相違のため、特許文献１で開示されたエプロン付ブロックと同じ構造をベース付ブロックに採用することは、美観や透水舗装への対応、更に施工の容易さの点で必ずしも得策でないことが判明した。
【０００９】
そこでこの発明は、路面下に埋設されるベース部を備えた断面Ｌ形ないし逆Ｔ形の歩車道境界ブロックにおいて、畝の形状や模様の変更に速やかにかつ経済的に対応でき、施工後の美観に優れ、透水舗装の路面の水を速やかに排水することが可能で、施工時のブロック相互の位置決め作業性にも優れた、ベース付歩車道境界ブロックを得ることを課題としている。
【課題を解決するための手段】
【００１０】
この発明は、ベース部に排水路を備えかつベース部上面が地表に露出しない構造のベース付歩車道境界ブロックにおいて、ベース部と畝部とをそれぞれベースブロックと畝ブロックに分離して個別に成型可能とし、各種形状の畝ブロックをベースブロック上に姿勢よく接合して一体化可能にすると共に、ベースブロックの若干の据付け誤差をベースブロックと畝ブロックとの接合部で修正できる構造の歩車道境界ブロックを提供することにより、上記課題を解決している。
【００１１】
すなわち、本願請求項１の発明に係る歩車道境界ブロックは、平坦な上面を有する矩形帯板状のベースブロック１と、このベースブロック上面の幅方向片側に底面を接合した畝ブロック２と、前記ベースブロックを長手方向に貫通する排水路３と、前記ベースブロックと畝ブロックの接合部分で前記片側のブロック側面に開口して前記排水路に連通する取水口５とを備えたものである。
【００１２】
また本願請求項２の発明に係る歩車道境界ブロックは、上面の幅方向片側に一段高くした台座９を一体に設けた矩形帯板状のベースブロック１と、前記台座の上面に底面を接合した畝ブロック２と、前記ベースブロックを長手方向に貫通する排水路３と、前記台座の側壁部分でブロック側面に開口して前記排水路に連通する取水口５とを備えたものである。
【００１３】
請求項３の発明は、上記請求項１記載の構成を備えた歩車道境界ブロックにおいて、前記排水路３が、前記ベースブロックと畝ブロックとの接合面４に、上面開口が畝ブロックによって閉鎖されたベースブロック側の凹溝として形成されていることを特徴とするものである。
【００１４】
また、請求項４の発明は、上記請求項２記載の構成を備えた歩車道境界ブロックにおいて、前記排水路３が、前記ベースブロックと畝ブロックとの接合面４に、上面開口が畝ブロックによって閉鎖されたベースブロック側の凹溝として形成されていることを特徴とするものである。
【００１５】
施工に際しては、ベースブロック１を車道と歩道の境界に沿って長手方向に並べて据付け、次いでベースブロック１の単位長さと同一単位長さ又は異なる単位長さの畝ブロック２をベースブロック１の上面幅方向片側にその片側の側壁面を一致させて配置し、畝ブロック２の底面をボンドやモルタルなどの接着剤でベースブロック上面に接合一体化する。そのあと施工手順に応じて必要な歩道側の舗装や車道側の透水舗装を行うことにより、歩車道の境界を構築する。
【００１６】
本願請求項５及び６の発明は、本願発明に係る歩車道境界ブロックを用いた透水舗装の排水構造に係るもので、請求項５記載の透水舗装の排水構造は、不透水性基層１１の表面に透水性表層１２を設けた舗装路面の路側に沿って、前記取水口５を前記透水性表層内を流れた水と当該表層上の水との両方を受入れる位置に開口させて、請求項１、２、３又は４記載の歩車道境界ブロックが配置されているというものである。
【００１７】
また請求項６記載の透水舗装の排水構造は、不透水性基層１１の表面に透水性表層１２を設けた舗装路面の路側に沿って、前記取水口５を前記透水性表層内を流れた水を受入れる位置にして、かつベースブロックと畝ブロックとの接合面４を路面下にして、請求項１又は３記載の歩車道境界ブロックが配置されているというものである。
【発明の効果】
【００１８】
この発明の歩車道境界ブロックによれば、歩車道の境界に形成する畝の形状や当該畝を形成するためのブロックの長さや幅が異なっても、同一のベースブロック上に当該畝ブロックを載置固定して、歩車道境界を構築することができる。そしてベースブロック１の並びに若干の誤差があっても、畝ブロック２をベースブロック１上に固定するときにその誤差を修正して畝ブロック２を並べてゆくことができ、安定したベースブロック１の平面上で畝ブロックの並びを修正できるので、正確な施工が容易に可能となる。
【００１９】
なお、特許文献１のエプロン付ブロックの場合は、エプロンの上面及びエプロンと畝との接合線が地表に露出するので、基礎上にベースブロックを正確に並べて配置し、そのベースブロックに形成された段部で畝ブロックを位置決めして接合するのが、施工上有利である。
【００２０】
この発明の透水性舗装の排水構造において、ベースブロック１は、路面の不透水性基層１１の上の透水性表層１２を通って流れる水を受入れる高さ、すなわち、車道の基層１１と表層１２との境界部分に取水口５が開口するように設置される。車道に降った雨水は、透水性の表層に染み込んで不透水性の基層１１の上面に沿って路側へと流れ、路側に設置されたベースブロック１の取水口５からブロック内の排水路３へと流入して排水される。取水口５を路面の透水性表層１２の厚さより大きい上下寸法で設けるか、又は開口高さの異なる上下の取水口を設けて、透水性表層１２を通って流れる水と当該表層上の水との両者を受入れる高さ、すなわち、車道の基層１１と表層１２との境界面と表層１２の表面との両方に取水口５が開口するようにベースブロック１を設置すれば、透水性表層内を流れる水量を超える降雨などがあったときにも良好な排水性能を確保できる。
【発明を実施するための最良の形態】
【００２１】
以下、図面を参照してこの発明を実施するための最良の形態について説明する。図１ないし図７は、この発明の歩車道境界ブロックの第１形態を示した図である。図において、１はベースブロック、２は畝ブロック、３はベースブロック１を長手方向に貫通する排水路、４はベースブロック１と畝ブロック２との接合面、５ａはこの接合面部分のブロック側壁に開口している取水口、６は取水口５と排水路３を連通している導水孔、７は取水口５に嵌合される目皿である。
【００２２】
ベースブロック１は、図３及び図４に示すように、各面が平坦な帯板状のコンクリートブロックで、前記排水路３、取水口５の下半部分及び導水孔６の大部分がこのベースブロック側に形成されており、かつその両側面両端には、連結金具を取り付ける凹所８が形成されている。
【００２３】
図示形態の畝ブロック２は、ベースブロック１の半分の長さで、図５に示すように、一般的な断面形状の畝ブロックの車道側の下辺部に前記取水口５の上半部と導水孔６の上端部が形成されている。図５の畝ブロック２の断面形状は、畝の両側での路面高さが等しいか又は高さの差が小さい箇所に用いられる形状である。横断歩道や車両が乗り入れる場所には、図５に示す畝ブロックに替えて、図６に示すような高さの低い畝ブロック２が用いられることもある。また歩道高さを高くした道路では、図１３に示すような歩道側側面が垂直でその上辺にアールが設けられていない畝ブロックが用いられる。ベースブロック１に固定して設けられる畝ブロック２の形状は、種々の形状とすることができるが、いずれの形状にした場合でも、当該畝ブロックの車道側側面下辺部には、前述した取水口５の上半部及び導水孔６の上端部が凹所として成形される。
【００２４】
図１ないし図６に示すブロックの目皿７は、図７に示す矩形形状のものであるが、丸や楕円等の任意の形状とすることができる。図８には、下方向に細長い長円形状の目皿７を例示してある。また図９は、取水口５を４個設けたベースブロックの一例を示した図であり、図１０は、図９のベースブロックと共に用いる畝ブロックの一例を示した図である。これらの例のように、取水口に取り付ける目皿の形状や１個のベースブロックに設ける取水口５の数や配置、排水路３の位置や面積などは、必要に応じて適宜な形状、寸法、個数等とすることができる。
【００２５】
図１１及び１２は、図１ないし図１０で示した歩車道境界ブロックの施工状態を示した断面図である。図の右側が車道側、左側が歩道側で、車道側の舗装面は、不透水性の基層１１の上に透水性表層１２を設けた透水舗装となっている。車道の上面１３及び歩道の上面１４は、いずれもベースブロックと畝ブロックの接合面４より高い位置にあり、ベースブロック１は全体が路面下に埋設された状態となっている。
【００２６】
図１１の構造は、取水口５が路面下にあり、不透水性基層１１と透水性表層１２との境界部に開口している。透水性表層１２を流れた水は、直接取水口５へと流入するが、透水性表層１２の上に溜まった水は、一旦透水性表層１２に滲み込んだ後、取水口５へと流れる。
【００２７】
一方、図１２に示す構造では、取水口５の上端が車道の表面１３より高い位置にまで開口している。従って、この図１２に示す構造の場合は、透水性表層１２を流れた水が直接取水口５に流入するのはもちろんのこととして、透水性表層１２の上に溜まった水も透水性表層１２を通ることなく直接取水口５へと流入し、従って、降水量の多いときでも良好な排水性能を確保できる。
【００２８】
図１３に示した構造は、歩道面１４が畝ブロック２の頂面の高さとなっているマウンドタイプといわれるものの例で、取水口５と透水性表層１２との関係は図１１と同じ構造のものである。図１３の構造の場合には、図１１や１２の構造のものと畝ブロック２の断面形状が異なるが、その他の構造や作用は同じである。なお、畝ブロックの断面形状が変っても、取水口５と透水性基層１１との位置関係を図１１のようにするか、図１２のようにするかは、施工する透水性基層の厚さと取水口の上下寸法及びブロックの設置高さによって選択できることはもちろんである。
【００２９】
図１４ないし図１６は、この発明のブロックの第２形態を示す図、図１７は、この第２形態のブロックを用いた排水構造の一例を示した図である。図１４ないし図１６に示した歩車道境界ブロックは、排水路３がベースブロック上面の畝ブロック２を搭載する部分にＵ字状の溝として形成され、ベースブロック１の上に畝ブロック２を接合したときに、当該溝の上面開口が閉鎖されて断面Ｕ字状の排水路３が形成される点のみが異なり、その他の構造は図１ないし図６で示した第１形態の構造と同じである。図１７に示した排水構造も、排水路３の断面形状がＵ字形であることの他は、図１１の構造と異なるところがない。なお、図１７の構造においても、取水口５を透水性基層１１の上方にまで開口するように設けた図１２の構造が可能であることは言うまでもない。
【００３０】
以上説明した歩車道境界ブロックのベースブロック１は、平坦な上面のもので、当該上面に畝ブロック２の底面をボンドやセメントなどの接着剤で接合して一体化するものであるが、ベースブロックの上面に畝ブロックを載せる台座を成形して、その台座の上に畝ブロックを接合する構造の例を図１８ないし図２４に示す。ここで図１８及び図１９は、第１形態のブロックにおける図１１及び図１２に相当する図で、図１８が取水口５を透水性表層１２の表面下に開口させた例、図１９が取水口５の上部が透水性表層１２の表面１３より上に開口しているものの例である。これらの図に示すように、この第３形態のものでは、ベースブロック１の上面幅方向片側に畝ブロック２の底面を接合するための一段高くなった台座９が成形されており、接合面４を透水性表層１２の表面１３と一致する高さで施工されている。従って、図１８の構造では、取水口５全体がベースブロック１側に開口している一方、図１９の構造では、取水口５の上端が畝ブロック２の底部を一部切り欠いた図５に示した形状に近い形状で成形されている。
【００３１】
図２０は、図１８の構造におけるベースブロックの一例を示す図、図２１は、図１９の構造におけるベースブロックの一例を示す図である。
【００３２】
ベースブロック１に台座９を設けた構造においても、排水路３を畝ブロック２との接合面４に開口する溝形状にすることが可能であり、図２２は、そのようにしたときの排水構造を示す断面図で、取水口５が透水性表層１２の表面１３の下方に開口しているものの例が示されている。図２３は、図２２の構造におけるベースブロック１の一例を示した図であり、また図２４は、図２２の構造における取水口５を透水性表層の表面１３より上にまで開口させるときのベースブロック１の一例を示した図である。
【００３３】
以上説明した各構造において、畝ブロック２に大きな横荷重が加わったときのベースブロックと畝ブロックとの接合面４の強度に問題が生ずるおそれがあるときは、図２５に示すように、ベースブロック１の接合面４となる部分の適宜箇所にピンないしボルト２１を植立し、一方、畝ブロック２の底面の対応する箇所にこのピンを挿入する凹所２２を設けておき、凹所２２内にモルタルを充填した状態で畝ブロック２をベースブロック１上に設置することにより、モルタルが硬化した後のベースブロック１と畝ブロック２とのずれをピン２１によって防止する構造とすることができる。
【００３４】
なお、図２５のピン２１に替えてベースブロック１側に突起をコンクリートで一体成形し、畝ブロック２側にはその突起を受け入れる凹所を設けて、前記と同様に当該凹所内にモルタルを詰めて畝ブロック２を接合することにより、同様なずれ止め作用を得ることが可能である。なお、畝ブロック２に設ける凹所２２をピン２１や突起に対して余裕を持たせておけば、モルタルその他の充填材が固化するまでの間にベースブロック１上での畝ブロック２の位置を微調整でき、この発明の特徴が損なわれることがない。
【００３５】
以上の例は畝ブロック２の一方の側からのみ排水をするものであるが、ベースブロック１の畝ブロック２が載置されていない部分の上面や側面にも排水路３に連通する取水口５ａを設けて、車道側の取水口５と歩道側の取水口５ａとの両側から排水路３に雨水を導くようにすることもできる。図２７は、図２６の排水構造を採用するときのベースブロック１の一例を示した図である。
【００３６】
同様な排水構造は、ベースブロックに第座９を設けた構造の場合にも採用可能で、図２８にその排水構造の例が示されており、図２９には図２８の構造のときのベースブロック１の一例が示されている。
【００３７】
図３０は、ベースブロック１に畝ブロック２を設置する接合面４を一段低くして形成した例を示した図である。ベースブロックの上面の段部２３は、畝ブロック２との位置決めのためのものではないが、ベースブロック１にこのような段部２３を設けても、ベースブロック１上での畝ブロック２の載置位置に若干の自由度があれば、この発明の特徴が失われることがない。そして、図３０に示した構造のときは、ベースブロック１上での畝ブロック２の載置位置を決定した後、段部２３と畝ブロック２との間の隙間２４にモルタルを埋めて、畝ブロック２の位置を固定することもできる。
【図面の簡単な説明】
【００３８】
【図１】第１形態の歩車道境界ブロックの斜視図
【図２】図１のブロックの取水口を設けた部分の断面図
【図３】図１のブロックのベースブロックの斜視図
【図４】図３の反対側から見た図３のベースブロックの斜視図
【図５】図１のブロックにおける畝ブロックを下方から見た斜視図
【図６】低段差型の畝ブロックを示す斜視図
【図７】取水口に設ける目皿の一例を示す正面図
【図８】目皿の他の形状を示す正面図
【図９】図８の目皿を用いるベースブロックの一例を示す斜視図
【図１０】図９のベースブロックと共に用いる畝ブロックの一例を示す斜視図
【図１１】図１のブロックを用いた排水構造の第１例を示す断面図
【図１２】同第２例を示す断面図
【図１３】歩道面を高くするときの畝ブロックの形状を示す図１１と同様の図
【図１４】第２形態の歩車道境界ブロックの斜視図
【図１５】図１４のブロックの取水口を設けた部分の断面図
【図１６】図１４のブロックのベースブロックの斜視図
【図１７】図１４のブロックを用いた排水構造の一例を示す断面図
【図１８】この発明の第３形態のブロックを用いた排水構造の第１例を示す断面図
【図１９】第３形態のブロックを用いた排水構造の第２例を示す断面図
【図２０】図１９の構造におけるベースブロックのの斜視図
【図２１】図２０の構造におけるベースブロックの斜視図
【図２２】第４形態のブロックを用いた排水構造の例を示す断面図
【図２３】図２２の構造におけるベースブロックの斜視図
【図２４】取水口を高く設けるときの図２２の構造におけるベースブロックの斜視図
【図２５】ベースブロックと畝ブロックとの固定構造の他の例を示す断面図
【図２６】畝ブロックの両側から排水する排水構造の第１例を示す図
【図２７】図２６の構造におけるベースブロックの一例を歩道側から見た斜視図
【図２８】畝ブロックの両側から排水する排水構造の第２例を示す断面図
【図２９】図２８の構造におけるベースブロックを歩道側から見た斜視図
【図３０】上面に段部を設けたベースブロックによる排水構造の例を示す断面図
【符号の説明】
【００３９】
１  ベースブロック
２  畝ブロック
３  排水路
４  接合面
５  取水口
６  導水孔
９  台座
11  不透水性基層
12  透水性表層
【図１】
2005264561.tif 000003
【図２】
2005264561.tif 000004
【図３】
2005264561.tif 000005
【図４】
2005264561.tif 000006
【図５】
2005264561.tif 000007
【図６】
2005264561.tif 000008
【図７】
2005264561.tif 000009
【図８】
2005264561.tif 000010
【図９】
2005264561.tif 000011
【図１０】
2005264561.tif 000012
【図１１】
2005264561.tif 000013
【図１２】
2005264561.tif 000014
【図１３】
2005264561.tif 000015
【図１４】
2005264561.tif 000016
【図１５】
2005264561.tif 000017
【図１６】
2005264561.tif 000018
【図１７】
2005264561.tif 000019
【図１８】
2005264561.tif 000020
【図１９】
2005264561.tif 000021
【図２０】
2005264561.tif 000022
【図２１】
2005264561.tif 000023
【図２２】
2005264561.tif 000024
【図２３】
2005264561.tif 000025
【図２４】
2005264561.tif 000026
【図２５】
2005264561.tif 000027
【図２６】
2005264561.tif 000028
【図２７】
2005264561.tif 000029
【図２８】
2005264561.tif 000030
【図２９】
2005264561.tif 000031
【図３０】
2005264561.tif 000032